(57)【特許請求の範囲】
【請求項１】
多数の植付条分の苗のせ部を備えた苗のせ台を、前記苗のせ台の背面に横方向に亘って装着された苗のせ台側レールと、植付爪の通過する苗取り出し口を備えた固定側ガイドレールとで、機体左右方向に往復横送り駆動自在に支持した多数条植えの乗用型田植機の苗のせ台構造であって、
前記苗のせ台における左右方向端部の少数の植付条分の苗のせ部を、各植付条の仕切り部で左右中央側の苗のせ部から分離及び連結可能に構成し、前記苗のせ台側レールにおける端部分を、前記苗のせ台側レールにおける左右中央側の部分から分離及び連結可能に構成し、前記固定側ガイドレールにおける端部分を、前記固定側ガイドレールにおける左右中央側の部分から分離及び連結可能に構成して、
前記分離される固定側ガイドレールの端部分を保持可能な保持部を、前記分離される端部の苗のせ部に備え、
前記分離された端部の苗のせ部に前記分離された固定側ガイドレールの端部分を保持させた状態で、前記分離された端部の苗のせ部を、前記左右中央側の苗のせ部の上方に所定の上下間隔を置いて、且つ前記左右中央側の苗のせ部と同じ上向きに支持する支持部を備え、
前記分離された端部の苗のせ部に装着してある前記苗のせ台側レールの端部分を前記支持部に支持させて、前記端部の苗のせ部を支持すべく構成してある乗用型田植機の苗のせ台構造。
【請求項２】
前記固定側ガイドレールにおける左右中央側の部分から分離される端部分が、前記固定側ガイドレールに形成されている苗取り出し口よりも左右外側の位置で分離されるものである請求項１記載の乗用型田植機の苗のせ台構造。
【請求項３】
前記苗のせ部に載置される苗の浮き上がりを前記苗の上側から抑える浮き上がり防止部材を、前記左右中央側の苗のせ部に支持部材を介して備え、前記支持部を前記支持部材に備えてある請求項１記載の乗用型田植機の苗のせ台構造。
【発明の詳細な説明】
【０００１】
【産業上の利用分野】
本発明は、８条植えや１０条植え等のように多数の植付条分の苗のせ部を備えた苗のせ台を、機体左右方向に往復横送り駆動自在に支持した多数条植えの乗用型田植機の苗のせ台構造に関する。
【０００２】
【従来の技術】
近年では区画整理された大規模な水田用として、８条植えや１０条植え等のように多数条植えの乗用型田植機が現れてきている。
多数条植えの乗用型田植機は苗のせ台の横幅が広いものとなるので、この乗用型田植機をトラックで運搬する際にトラックの荷台に乗せると、苗のせ台の左右両端が荷台から横外方に出てしまう。従って、このような場合には機体から苗植付装置（苗のせ台を装備）を取り外し、機体と苗植付装置とを別々のトラックで運搬したりすることがある。
【０００３】
【発明が解決しようとする課題】
前述のように機体から苗植付装置を取り外して、機体と苗植付装置とを別々に運搬するとなれば、機体と苗植付装置とを同時に運搬するには２台のトラックが必要になる。又、機体と苗植付装置とを１台のトラックで運搬するとなれば、運搬のためにトラックを２往復させなければならず、改善の余地がある。
本発明は多数条植えの乗用型田植機において、機体に苗植付装置を連結した状態で、乗用型田植機をトラックの荷台に乗せることができるようにすることを目的としている。
【０００４】
【課題を解決するための手段】
本発明の特徴は以上のような乗用型田植機の苗のせ台構造において、次のように構成することにある。
〔１〕
多数の植付条分の苗のせ部を備えた苗のせ台を、前記苗のせ台の背面に横方向に亘って装着された苗のせ台側レールと、植付爪の通過する苗取り出し口を備えた固定側ガイドレールとで、機体左右方向に往復横送り駆動自在に支持した多数条植えの乗用型田植機の苗のせ台構造であって、
前記苗のせ台における左右方向端部の少数の植付条分の苗のせ部を、各植付条の仕切り部で左右中央側の苗のせ部から分離及び連結可能に構成し、前記苗のせ台側レールにおける端部分を、前記苗のせ台側レールにおける左右中央側の部分から分離及び連結可能に構成し、前記固定側ガイドレールにおける端部分を、前記固定側ガイドレールにおける左右中央側の部分から分離及び連結可能に構成して、
前記分離される固定側ガイドレールの端部分を保持可能な保持部を、前記分離される端部の苗のせ部に備え、
前記分離された端部の苗のせ部に前記分離された固定側ガイドレールの端部分を保持させた状態で、前記分離された端部の苗のせ部を、前記左右中央側の苗のせ部の上方に所定の上下間隔を置いて、且つ前記左右中央側の苗のせ部と同じ上向きに支持する支持部を備え、
前記分離された端部の苗のせ部に装着してある前記苗のせ台側レールの端部分を前記支持部に支持させて、前記端部の苗のせ部を支持すべく構成してある乗用型田植機の苗のせ台構造。
【０００５】
〔２〕
前項〔１〕の構成において、前記固定側ガイドレールにおける左右中央側の部分から分離される端部分が、前記固定側ガイドレールに形成されている苗取り出し口よりも左右外側の位置で分離されるものである。
〔３〕
前項〔１〕の構成において、苗のせ部に載置される苗の浮き上がりを苗の上側から抑える浮き上がり防止部材を、左右中央側の苗のせ部に支持部材を介して備え、支持部を支持部材に備えてある。
【０００６】
【作用】
〔Ｉ〕
前項〔１〕のように構成すると、多数条植えの乗用型田植機をトラックの荷台に乗せる場合に、例えば図２から図５及び図６に示すように苗のせ台１２において、端部の苗のせ部１２ａ，１２ｂを、左右中央側の苗のせ部１２ｃから分離して、分離した端部の苗のせ部１２ａ，１２ｂを支持部２４，２５に支持させればよい。
以上のように端部の苗のせ部を分離して左右中央側の苗のせ部の上方に支持させれば、端部の苗のせ部を分離しない状態の苗のせ台よりも、苗のせ台の全体の横幅を狭いものに設定することができる。これによって、苗植付装置を連結した状態で乗用型田植機をトラックの荷台に乗せても、苗のせ台の左右両端が荷台から横外方に出てしまうようなことがない。
【０００７】
前項〔１〕の構成では例えば図５及び図６に示すように、分離した端部の苗のせ部１２ａ，１２ｂを左右中央側の苗のせ部１２ｃの上方に支持させる場合、分離した端部の苗のせ部１２ａ，１２ｂが左右中央側の苗のせ部１２ｃと同じ上向きで、所定の上下間隔を置いて支持される。
これにより、まだ植え付けていない苗が端部の苗のせ部に残っていてもこの苗を下ろす必要はなく、苗を載置した状態で端部の苗のせ部を、左右中央側の苗のせ部の上方に支持させることができるのであり、端部の苗のせ部から苗が落ちるようなこともない。まだ植え付けていない苗が左右中央側の苗のせ部に残っていてもこの苗を下ろす必要はなく、苗を左右中央側の苗のせ部に載置した状態で、分離した端部の苗のせ部を左右中央側の苗のせ部の上方に支障なく支持させることができる。
【０００８】
端部の苗のせ部を分離した場合、苗のせ台をスライド自在に支持するガイドレールの左右両端が横外方に出た状態で残る。
そこで、前項〔１〕のように構成すると例えば図５及び図６に示すように、ガイドレール１１において端部分を左右中央側の部分１１ｄから分離することができるので、端部の苗のせ部１２ａ，１２ｂの分離と一緒に、ガイドレール１１の端部分を分離すれば、ガイドレール１１（左右中央側の部分１１ｄ）の左右両端が横外方に出るような状態とはならず、苗植付装置を連結した状態で乗用型田植機をトラックの荷台に乗せても、ガイドレール１１（左右中央側の部分１１ｄ）の左右両端が荷台から横外方に出るようなことがない。
【０００９】
この場合、例えば図５及び図６に示すように分離したガイドレール１１の端部分を、分離した端部の苗のせ部１２ａ，１２ｂに保持して、この端部の苗のせ部１２ａ，１２ｂとガイドレール１１の端部分とを一緒に支持部２４，２５に支持させることができるので、分離したガイドレール１１の端部分の置き場所に困るようなことがない。
【００１０】
〔ＩＩ〕
前項〔２〕のように構成すると、前項〔１〕の構成の場合と同様に前項〔Ｉ〕に記載の「作用」を備えており、これに加えて以下のような「作用」を備えている。
〔ＩＩＩ〕
前項〔３〕のように構成すると、前項〔１〕の構成の場合と同様に前項〔Ｉ〕に記載の「作用」を備えており、これに加えて以下のような「作用」を備えている。
苗のせ台１２においては例えば図２及び図４に示すように、載置される苗の浮き上がりを苗の上側から抑える浮き上がり防止部材２３を、苗のせ部１２ａ，１２ｂ，１２ｃに備える場合が多い。
【００１１】
この場合に前項〔３〕のように構成すると、分離した端部の苗のせ部１２ａ，１２ｂは、支持部２４，２５により浮き上がり防止部材２３の支持部材２０を介して支持されることになり、分離した端部の苗のせ部１２ａ，１２ｂの支持の機能を、浮き上がり防止部材２３の支持部材２０に兼ねさせることができる。
【００１２】
【発明の効果】
請求項１のように構成すると、端部の苗のせ部とガイドレールの端部分とを分離して、左右中央側の苗のせ部の上方に支持することにより、多数条植えの乗用型田植機でも苗植付装置を連結した状態でトラックの荷台に乗せることができるようになって、多数条植えの乗用型田植機の運搬性を向上させることができた。分離した端部の苗のせ部を左右中央側の苗のせ部の上方に、所定の上下間隔を置いて上向きに支持するので、分離した端部の苗のせ部や左右中央側の苗のせ部に苗が残っていても、苗を残した状態で分離した端部の苗のせ部を、左右中央側の苗のせ部の上方に支持することができる。これにより、苗のせ部に残った苗を下ろす必要がなくなるので、作業性の良いものとなる。
そして、分離したガイドレールの端部分を分離した端部の苗のせ部に保持した状態で、端部の苗のせ部を支持部に支持させることができるので、分離したガイドレールの端部分の置き場所に困るようなことがなく、さらに作業性の良いものとなる。
【００１３】
請求項２のように構成すると、請求項１のように構成した場合と同様に前述の請求項１の「発明の効果」を備えている。
請求項３のように構成すると、分離した端部の苗のせ部の支持用に、浮き上がり防止部材の支持部材を兼用することができるので、苗植付装置付近の構造の簡素化の面で有利なものとなる。
【００１４】
【実施例】
以下、本発明の実施例を図面に基づいて説明する。
（１）
図１に示すように、前輪１及び後輪２で支持された機体の後部に、油圧シリンダ３によりリンク機構４が昇降自在に支持され、リンク機構４の後端に８条植えの苗植付装置５が連結されて、乗用型田植機が構成されている。
図２及び図１に示すように、苗植付装置５の左右方向に沿って４個の支持ケース８が配置され、一対の植付爪６を備えた８個の回転ケース７が各支持ケース８の後部両側に回転駆動自在に支持されており、左右中央にセンターフロート９、左右両側に一対のサイドフロート１０が配置されている。各支持ケース８に亘り１本のガイドレール１１が支持され、苗のせ台１２の下端がガイドレール１１に沿って左右に往復横送り駆動自在に支持されている。これにより、回転ケース７の回転に伴って一対の植付爪６が、ガイドレール１１に形成された苗取り出し口１１ａを交互に通過し、苗のせ台１２から苗を取り出して田面Ｇに植え付けて行く。
【００１５】
（２）
苗のせ台１２は８つの植付条分の苗のせ部１２ａ，１２ｂ，１２ｃを備えて構成され、左右中央側の６つの植付条分の苗のせ部１２ｃに対して、右端部及び左端部の１つの植付条分の苗のせ部１２ａ，１２ｂ（右端部及び左端部の少数の植付条分の苗のせ部に相当）を分離及び連結可能に構成しており、次に右端部及び左端部の苗のせ部１２ａ，１２ｂの連結構造について説明する。
【００１６】
図２及び図３に示すように、右端部及び左端部の苗のせ部１２ａ，１２ｂと左右中央側の苗のせ部１２ｃとは、仕切り部１２ｄにおいて分割されている。
苗のせ台１２の上部及び中間部において苗のせ台１２の左右両端に亘って架設されるフレーム１３，１４、苗のせ台１２の上部及び下部を左右方向にスライド自在に支持するレール１５，１８、各苗のせ部１２ａ，１２ｂ，１２ｃに備えられる縦送りベルト１６の駆動軸１７及び従動軸３８が（図４及び図５参照）、前述の仕切り部１２ｄにおいて分割されている。
【００１７】
図１０，１１，１２，１３，１５に示すように、右端部及び左端部の苗のせ部１２ａ，１２ｂ側と左右中央側の苗のせ部１２ｃ側とに分割されるフレーム１３及びレール１５，１８において、右端部及び左端部の苗のせ部１２ａ，１２ｂの突き合わせ部分に、リングを持つ連結用のバックル２７が備えられている。レール１５，１８の突き合わせ部分には、右端部及び左端部の苗のせ部１２ａ，１２ｂ側に、突き合わせ部分の位置決め部材２９，３０が固定されている。
【００１８】
図２及び図４に示すように、右端部及び左端部の苗のせ部１２ａ，１２ｂの上部及び下部の両端に合計４個の支持板１９が固定され、左右中央側の苗のせ部１２ｃにも上部６個下部６個の１２個の支持板２０（支持部材に相当）が固定されている。右端部及び左端部の苗のせ部１２ａ，１２ｂの両端の支持板１９に亘り上下一対の支持棒２１が架設され、左右中央部の苗のせ部１２ｃの支持板２０に亘り上下一対の支持棒２２が架設されており、上下の支持棒２１，２２に亘り苗ステー２３（苗の浮き上がりを苗の上側から抑える浮き上がり防止部材に相当）が架設されている。
【００１９】
図５及び図８に示すように、左端部の苗のせ部１２ｂと左右中央側の苗のせ部１２ｃとの間において、左右中央側の苗のせ部１２ｃの上下の支持板２０及び仕切り部１２ｄに、断面コ字状の固定部材３１が上下揺動自在に支持されており、左端部の苗のせ部１２ｂの仕切り部１２ｄに連結板３２が固定されている。右端部の苗のせ部１２ａと左右中央側の苗のせ部１２ｃとの間において、右端部の苗のせ部１２ａの上下の支持板１９及び仕切り部１２ｄに、断面コ字状の固定部材３１が上下揺動自在に支持されており、左右中央側の苗のせ部１２ｃの仕切り部１２ｄに連結板３２が固定されている。
【００２０】
以上の構造により図３，１１，１２に示すように、右端部及び左端部の苗のせ部１２ａ，１２ｂと左右中央側の苗のせ部１２ｃとの下側において、レール１５，１８の位置決め部材２９，３０を挿入して突き合わせ、フレーム１３を突き合わせて、３個のバックル２７によってレール１５，１８及びフレーム１３を連結する。
苗のせ部１２ａ，１２ｂ，１２ｃの上側において、３個の固定部材３１を支持板１９，２０及び連結板３２に嵌め込むことによって、仕切り部１２ｄどうしを連結するのであり、右端部及び左端部の苗のせ部１２ａ，１２ｂは、下側３箇所上側３箇所の合計６箇所で左右中央側の苗のせ部１２ｃに連結される。図８及び図９に示すように、固定部材３１が備えられている支持板１９，２０に凸部２０ａが形成されており、固定部材３１を支持板１９，２０に嵌め込んだ際に支持板１９，２０の間隔が維持されるように、固定部材３１の嵌め込みが確実なものとなるようにしている。
【００２１】
（３）
ガイドレール１１も、前述の左右中央側の苗のせ部１２ｃに対応する左右中央側の部分１１ｄ、右端部の苗のせ部１２ａに対応する右端部分１１ｂ、及び左端部の苗のせ部１２ｂに対応する左端部分１１ｃの３つに分割されて、左右中央側の部分１１ｄに対して右端部分１１ｂ及び左端部分１１ｃを分離及び連結可能に構成しており、次にこの連結構造について説明する。
【００２２】
図１０，１４，１６に示すように、ガイドレール１１の左右中央側の部分１１ｄと右端部分１１ｂ及び左端部分１１ｃとの突き合わせ部分において、右端部分１１ｂ及び左端部分１１ｃの下面にリングを持つ連結用のバックル２７が備えられており、右端部分１１ｂ及び左端部分１１ｃに平板状の位置決め部材３４及びピン状の位置決め部材３７が固定されている。
以上の構造により、ガイドレール１１の右端部分１１ｂ及び左端部分１１ｃの位置決め部材３４，３７を、ガイドレール１１の左右中央側の部分１１ｄに挿入し、ガイドレール１１の右端部分１１ｂ及び左端部分１１ｃと左右中央側の部分１１ｄとを突き合わせて、バックル２７によりガイドレール１１の右端部分１１ｂ及び左端部分１１ｃを左右中央側の部分１１ｄに連結する。
【００２３】
図３，１０，１４に示すように左右中央側の苗のせ部１２ｃ、右端部及び左端部の苗のせ台１２ａ，１２ｂのレール１８の下面に、断面コ字状の案内部材３３（保持部に相当）がビスで連結され、案内部材３３にガイドレール１１の左右中央側の部分１１ｄ、右端部分１１ｂ及び左端部分１１ｃが抱き込まれており、苗のせ台１２（左右中央側の苗のせ部１１ｃ、右端部及び左端部の苗のせ部１２ａ，１２ｂ）が、案内部材３３によってガイドレール１１（左右中央側の部分１１ｄ、右端部分１１ｂ及び左端部分１１ｃ）にスライド自在に支持されている。  図１０及び図１６に示すように、ガイドレール１１の右端部分１１ｂ及び左端部分１１ｃにおいて、横外方の端部に抜け止め用のビス３９が取り付けられており、ビス３９の高さは案内部材３３の厚みよりも低く設定されている。
【００２４】
（４）
次に、左右中央側の苗のせ部１２ｃから右端部及び左端部の苗のせ部１２ａ，１２ｂを分離させる場合について説明する。
図２及び図４に示すように、右端部及び左端部の苗のせ部１２ａ，１２ｂから一つ左右中央側の苗のせ部１２ｃにおいて、上の一対の支持板２０に亘り支持フレーム２４（支持部に相当）が架設連結され、下の一対の支持板２０に亘り支持フレーム２５（支持部に相当）が架設連結されている。
【００２５】
前項（２）で説明したように、連結されている右端部及び左端部の苗のせ部１２ａ，１２ｂにおいて、フレーム１３及びレール１５，１８のバックル２７を外し、支持部材１９，２０及び仕切り部１２ｄの固定部材３１を外すことにより、図９に示すように右端部及び左端部の苗のせ部１２ａ，１２ｂが左右中央側の苗のせ部１２ｃから分離される。
前項（３）で説明したように、連結されているガイドレール１１の右端部分１１ｂ及び左端部分１１ｃにおいて、右端部分１１ｂ及び左端部分１１ｃの下面のバックル２７を外すことにより、ガイドレール１１の右端部分１１ｂ及び左端部分１１ｃが左右中央側の部分１１ｄから分離される。
【００２６】
この場合、図１０及び図１４に示すように右端部及び左端部の苗のせ部１２ａ，１２ｂの案内部材３３に、ガイドレール１１の右端部分１１ｂ及び左端部分１１ｃが抱き込まれるようにして保持されているので、分離した右端部及び左端部の苗のせ部１２ａ，１２ｂの各々に、分離したガイドレール１１の右端部分１１ｂ及び左端部分１１ｃの各々に保持される。そして、分離したガイドレール１１の右端部分１１ｂ及び左端部分１１ｃを、ビス３９が案内部材３３に当たるまでスライドさせておくと、右端部及び左端部の苗のせ部１２ａ，１２ｂの案内部材３３から、分離したガイドレール１１の右端部分１１ｂ及び左端部分１１ｃが抜け落ちるようなこともない。
【００２７】
次に図５，６，７に示すように、右端部及び左端部の苗のせ部１２ａ，１２ｂから一つ左右中央側の苗のせ部１２ｃにおける支持フレーム２４に、分離した右端部及び左端部の苗のせ部１２ａ，１２ｂ（分離したガイドレール１１の右端部分１１ｂ及び左端部分１１ｃを保持）のレール１５を掛け、前述の左右中央側の苗のせ部１２ｃの支持フレーム２５に、分離した右端部及び左端部の苗のせ部１２ａ，１２ｂのレール１８をネジ止めする。この場合、支持フレーム２４，２５が上の一対の支持板２０及び下の一対の支持板２０の補強部材にもなる。
【００２８】
これにより、分離した右端部及び左端部の苗のせ部１２ａ，１２ｂに分離したガイドレール１１の右端部分１１ｂ及び左端部分１１ｃを保持させた状態で、この分離した右端部及び左端部の苗のせ部１２ａ，１２ｂが、左右中央側の苗のせ部１２ｃの上方に所定の上下間隔を置いて、左右中央側の苗のせ部１２ｃと同じ上向きに支持されるのであり、右端部及び左端部の苗のせ部１２ａ，１２ｂ及び左右中央側の苗のせ部１２ｃの両外側端、ガイドレール１１の左右中央側の部分１１ｄの両外側端が、図６及び図７に示すようにサイドフロート１０の両外側端よりも左右中央側に位置する。
【００２９】
図２及び図４に示すように、ガイドレール１１の右端部分１１ｂ及び左端部分１１ｃを保護する保護フレーム３５が備えられ、固定の基部３５ａに対して保護フレーム３５が図２の紙面左右方向にスライド自在に支持されており、先端にマーカー３６ａを備えた支持アーム３６が、基部３５ａに上下揺動自在に支持されている。
以上の構造により、図６に示すように右端部及び左端部の苗のせ部１２ａ，１２ｂを分離した際に、左右の保護フレーム３５を左右中央側にスライドさせ、支持アーム３６を上方に持ち上げ操作して、先端のマーカー３６ａを左右中央側に向ける。これにより、サイドフロート１０の両外側端よりも左右中央側に支持アーム３６及びマーカー３６ａが位置し、サイドフロート１０の両外側端と略同じ位置に、左右の保護フレーム３５が位置する。
【００３０】
〔別実施例〕
前述の実施例では８条植えの乗用型田植機において、右端部及び左端部の１つの植付条分の苗のせ部１２ａ，１２ｂを分離及び連結可能に構成しているが、１０条植えの乗用型田植機において、右端部及び左端部の２つの植付条分の苗のせ部１２ａ，１２ｂを分離及び連結可能に構成し、分離した右端部及び左端部の苗のせ部１２ａ，１２ｂを、左右中央側の苗のせ部１２ｃの上側に支持できるように構成してもよい。
【００３１】
図６において分離した右端部及び左端部の苗のせ部１２ａ，１２ｂを、左右中央側の苗のせ部１２ｃの上方に支持させた場合、左右中央側の苗のせ部１２ｃの両外側部の仕切り部１２ｄよりも少し横外側に、右端部及び左端部の苗のせ部１２ａ，１２ｂの両外側部の仕切り部１２ｄが出るように設定してもよい。  図２，４，５の構成において支持フレーム２４，２５を廃止し、分離した右端部及び左端部の苗のせ部１２ａ，１２ｂのレール１５を、苗ステー２３を支持する上の支持棒２２に掛け、苗ステー２３を支持する下の支持棒２２にレール１８をネジ止めするように構成してもよい。この場合には、上下の支持棒２２が分離した右端部及び左端部の苗のせ部１２ａ，１２ｂの支持部となる。
【００３２】
尚、特許請求の範囲の項に図面との対照を便利にする為に符号を記すが、該記入により本発明は添付図面の構成に限定されるものではない。
【図面の簡単な説明】
【図１】乗用型田植機の全体側面図
【図２】右端部及び左端部の苗のせ部を連結している状態での苗のせ台付近の平面図
【図３】右端部及び左端部の苗のせ部を連結している状態での苗のせ台付近の正面図
【図４】右端部及び左端部の苗のせ部を連結している状態での苗のせ台付近の側面図
【図５】右端部及び左端部の苗のせ部を分離して支持フレームに支持させた状態での苗のせ台付近の側面図
【図６】右端部及び左端部の苗のせ部を分離して支持フレームに支持させた状態での苗のせ台付近の平面図
【図７】右端部及び左端部の苗のせ部を分離して支持フレームに支持させた状態での苗のせ台付近の正面図
【図８】連結した状態での左端部の苗のせ部における支持板付近の横断平面図
【図９】分離した状態での左端部の苗のせ部における支持板付近の横断平面図
【図１０】連結した状態での右端部の苗のせ部における下部付近の正面図
【図１１】連結した状態での右端部の苗のせ部における上部付近の正面図
【図１２】連結した状態での右端部の苗のせ部における上部のレールの突き合わせ付近の横断平面図
【図１３】右端部及び左端部の苗のせ部における上部のレール付近の縦断側面図
【図１４】右端部及び左端部の苗のせ部における下部のレールの案内部材付近の縦断側面図
【図１５】右端部及び左端部の苗のせ部における下部のレールのバックル付近の縦断側面図
【図１６】分離したガイドレールの左端部分を示す斜視図
【符号の説明】
６                    植付爪
１１                  ガイドレール
１１ａ                苗取り出し口
１１ｂ                ガイドレールの右端部分
１１ｃ                ガイドレールの左端部分
１１ｄ                ガイドレールの左右中央側の部分
１２                  苗のせ台
１２ａ，１２ｂ        右端部及び左端部の苗のせ部
１２ｃ                左右中央側の苗のせ部
１２ｄ                仕切り部
１５，１８            レール
２０                  支持部材
２３                  浮き上がり防止部材
２２，２４，２５      支持部
３３                  保持部
【図１】
0003552778.tif 000002
【図２】
0003552778.tif 000003
【図３】
0003552778.tif 000004
【図４】
0003552778.tif 000005
【図５】
0003552778.tif 000006
【図６】
0003552778.tif 000007
【図７】
0003552778.tif 000008
【図８】
0003552778.tif 000009
【図９】
0003552778.tif 000010
【図１０】
0003552778.tif 000011
【図１１】
0003552778.tif 000012
【図１２】
0003552778.tif 000013
【図１３】
0003552778.tif 000014
【図１４】
0003552778.tif 000015
【図１５】
0003552778.tif 000016
【図１６】
0003552778.tif 000017